(57)【要約】【課題】各種電子機器の入力操作部に使用される回転操作型電子部品に関し、クリック用の板バネと回転体が一種類で数種類のクリック数のものへの対応が可能となる構成のものを提供する。【解決手段】回転体１１のフランジ部１１Ｂの上面に、同心に第１〜第３クリック用凹凸部１２〜１４を設けると共に、カバー３のカシメ突起３Ｂに対応する板バネ１５の装着部１６，１７に、孔部１６Ａ〜１６Ｃ，１７Ａ〜１７Ｃを設けたものとし、カバー３への板バネ１５の固定時に、第１〜第３クリック用凹凸部１２〜１４の中の所望のものに板バネ１５の弾性ダボ部１５Ａを対応させて組み込み可能な構成とした。【選択図】図１
2006079966.tif 000002
【特許請求の範囲】
【請求項１】
操作部となる軸部の下方に構成されたフランジ部が、ケースに回転可能に保持され、そのフランジ部の上面に、上面視円形リング状で構成されたクリック用凹凸部が同心状に複数本配された回転体と、上記クリック用凹凸部の中の一つに所定の圧力で弾接触する弾性脚部を備えた一つの板バネと、上記一つの板バネを固定する固定部が設けられた固定部材とを備え、上記固定部材の固定部に対する上記一つの板バネの装着位置を変えることにより、上記一つの板バネの弾性脚部の弾接触位置が、上記複数本のクリック用凹凸部の各々に対応可能に組み込み可能とされた回転操作型電子部品。
【請求項２】
板バネを、略円形リング状で、その直径方向で対向する位置の各々に、複数の孔部が並設された固定部材への装着部が設けられたものとし、その孔部の中の所定のものに、カシメ突起で構成された上記固定部材の固定部が挿入されてカシメ固定されていると共に、その他の孔部内に、上記固定部材に配された小突起が挿入されて上記板バネの固定位置の位置決め補助がなされる請求項１記載の回転操作型電子部品。
【発明の詳細な説明】
【技術分野】
【０００１】
本発明は、各種電子機器のモード調整用およびタイマー調整用等の入力操作部に使用される回転操作型電子部品に関するものである。
【背景技術】
【０００２】
近年、電子機器のモード調整用およびタイマー調整用等の入力操作部に回転操作型電子部品が用いられることが増え、機器の多機能化、高機能化に伴い、数多くの品種が要望されるようになってきた。
【０００３】
このような従来の回転操作型電子部品について、図１０および図１１を用いて説明する。
【０００４】
図１０は従来の回転操作型電子部品の断面図、図１１は同分解斜視図である。
【０００５】
同図において、１は、操作部となる軸部１Ａの下方に一体形成されたフランジ部１Ｂを備えた成形樹脂製の回転体で、２は上方開口の凹部を有する成形樹脂製のケースである。
【０００６】
そして、上記回転体１は、フランジ部１Ｂが上記ケース２の凹部内に収容状態になるようにして、フランジ部１Ｂの下面中央に設けた位置決め用円柱部１Ｃがケース２底部の中心孔２Ａに回転可能に挿通保持されている。また、回転体１の軸部１Ａは、ケース２の開口部分を塞ぐようにケース２に取り付けられたカバー３の円形貫通孔３Ａに回転可能に挿通保持され、その上部は上方に突出している。
【０００７】
そして、回転体１のフランジ部１Ｂの上面には、操作時におけるクリック感触を生成するためのクリック用凹凸部１Ｄが、上面視円形リング状で構成されており、その凹凸部１Ｄに対し、カバー３のカシメ突起３Ｂによってカシメ固定された板バネ４の弾性ダボ部４Ａが弾接している。つまり、カバー３は、板バネ４を固定する固定部材としての機能をも担っている。
【０００８】
また、回転体１のフランジ部１Ｂの下面には、エンコーダ信号などの生成に適合する形状に加工された回転接点板７が固定されており、その回転接点板７に、弾性金属薄板からなる端子一体型刷子５の弾性アーム先端に設けられた接点部５Ａが弾接している。なお、端子一体型刷子５の数としては、通常、インクリメンタル式のものであれば、三つが並設されて配される。
【０００９】
その端子一体型刷子５は、ケース２にインサート成形等により固定されており、接点部５Ａが構成された一端側とは逆の他端側は、ケース２の側方から端子部５Ｂとして外方に導出されている。
【００１０】
なお、上記端子一体型刷子５の弾性アームに設けられた接点部５Ａ等は、ケース２へのインサート成形固定後に、ケース２の窓部２Ｂを介して金型によって折り曲げ形成するものであり、その窓部２Ｂを塞ぐために、ケース２の下方には、覆い板６が配され、その覆い板６と上記ケース２とはカバー３のカシメ用脚部３Ｃで抱きカシメされて一体的な固定状態となっている。
【００１１】
上記のように従来の回転操作型電子部品は構成されるものである。
【００１２】
次に、この従来の回転操作型電子部品の動作について説明すると、まず、回転体１の軸部１Ａを回転操作すると、回転体１の回転動作に伴って回転接点板７も回転し、ケース２に固定されている端子一体型刷子５の接点部５Ａに対し回転接点板７の接触位置が相対的に変わっていき、これによって所定の位相差を持つパルス信号等の出力信号が生成され回転操作型電子部品として機能する。
【００１３】
また、上記出力信号の発生と同時に、回転体１の回転動作に伴ってクリック用凹凸部１Ｄの位置も、固定状態にある板バネ４の弾性ダボ部４Ａと相対的に変わっていき、弾性ダボ部４Ａがクリック用凹凸部１Ｄ上を弾性摺動していくことによるバネ力の変化がクリック感触として得られるものであった。
【００１４】
なお、この出願の発明に関連する先行技術文献情報としては、例えば、特許文献１が知られている。
【特許文献１】特開２０００−３４８５６８号公報
【発明の開示】
【発明が解決しようとする課題】
【００１５】
しかしながら、上記従来の回転操作型電子部品においては、クリック数に合わせてそれに応じた回転体１を作製しなければならず、部品品種が増え、コストも上がるという課題があった。
【００１６】
本発明は、このような従来の課題を解決するものであり、クリック数に合わせて個々の回転体を作製する必要がなく、クリック用の板バネと回転体が１種類で数種類のクリック数のものへの対応が可能となる回転操作型電子部品を提供することを目的とする。
【課題を解決するための手段】
【００１７】
上記目的を達成するために本発明は、以下の構成を有するものである。
【００１８】
本発明の請求項１に記載の発明は、操作部となる軸部の下方に構成されたフランジ部が、ケースに回転可能に保持され、そのフランジ部の上面に、上面視円形リング状で構成されたクリック用凹凸部が同心状に複数本配された回転体と、上記クリック用凹凸部の中の一つに所定の圧力で弾接触する弾性脚部を備えた一つの板バネと、上記一つの板バネを固定する固定部が設けられた固定部材とを備え、上記固定部材の固定部に対する上記一つの板バネの装着位置を変えることにより、上記一つの板バネの弾性脚部の弾接触位置が、上記複数本のクリック用凹凸部の各々に対応可能に組み込み可能とされた回転操作型電子部品としたものである。
【００１９】
各々のクリック用凹凸部に板バネの弾接触位置が対応可能に、同じ固定部に対し板バネの装着位置を変えて組み込める当該構成であれば、一つの板バネおよび一つの回転体を共用してクリック数やクリック感触が異なる数種類の回転操作型電子部品が得られるという作用を有する。
【００２０】
請求項２に記載の発明は、請求項１に記載の発明において、板バネを、略円形リング状で、その直径方向で対向する位置の各々に、複数の孔部が並設された固定部材への装着部が設けられたものとし、その孔部の中の所定のものに、カシメ突起で構成された上記固定部材の固定部が挿入されてカシメ固定されていると共に、その他の孔部内に、上記固定部材に配された小突起が挿入されて上記板バネの固定位置の位置決め補助がなされるものであり、簡素な構成で、板バネの装着位置ずれなどを低減させることができるという作用を有する。
【発明の効果】
【００２１】
以上のように本発明によれば、個々のクリック数等に適合する回転体を各々作製せずとも、クリック用の板バネと回転体が各々一種類で、クリック数等の異なる数種類の回転操作型電子部品への対応が可能となるという有利な効果が得られる。
【発明を実施するための最良の形態】
【００２２】
以下、本発明の実施の形態について、図１〜図９を用いて説明する。
【００２３】
なお、従来の技術の項で説明した構成と同一構成の部分には同一符号を付して、詳細な説明を簡略化する。
【００２４】
（実施の形態）
図１は本発明の一実施の形態による回転操作型電子部品の分解斜視図、図２は同断面図、図３は同図２と直交する方向での断面図である。
【００２５】
同図において、１１は、操作部となる軸部１１Ａとその下方に一体形成された円盤状のフランジ部１１Ｂからなる成形樹脂製の回転体である。
【００２６】
その回転体１１のフランジ部１１Ｂの上面には、上面視円形リング状で各々構成された第１〜第３クリック用凹凸部１２〜１４が同心状で配設されている。その配列としては、外周位置に第１クリック用凹凸部１２、中間位置に第２クリック用凹凸部１３、内周位置に第３クリック用凹凸部１４が構成されている。なお、第１〜第３クリック用凹凸部１２〜１４は、山谷となる凹凸数が各々で異なるものに形成されている。なお、クリック用凹凸部どうしで凹凸形状等を変えて構成してあってもよい。
【００２７】
そして、上記回転体１１は、フランジ部１１Ｂが成形樹脂製のケース２の凹部内に収容されてフランジ部１１Ｂの下面中央の位置決め用円柱部１１Ｃが、ケース２底部の中心孔２Ａに回転可能に挿通保持されている。また、上記軸部１１Ａは、ケース２の開口部を塞ぐように配設されたカバー３の円形貫通孔３Ａに回転可能に挿通保持され、その上部は上方に突出している。
【００２８】
そして、同図に示したものは、上記第１〜第３クリック用凹凸部１２〜１４の内、板バネ１５の下方側に曲げ加工されて形成された弾性脚部に設けられた弾性ダボ部１５Ａが、第２クリック用凹凸部１３に弾接触するように組み合わせたものとなっている。
【００２９】
この板バネ１５は、図１に示すように、上面視略円形リング状で、弾性ダボ部１５Ａの配設位置と直径方向で対向する位置に、同じく下方側に曲げ加工された弾性脚部の下端位置が平坦面で形成された摺動面部１５Ｂを備え、また、上記と直交する直径方向に各々平板状の装着部１６，１７を備えている。
【００３０】
その装着部１６，１７には、上記弾性ダボ部１５Ａと摺動面部１５Ｂの各中心位置を繋ぐ直径に対し平行関係にある接線方向で、各々、同じ直径の円形状の孔部１６Ａ〜１６Ｃ，１７Ａ〜１７Ｃが並べて設けられている。つまり、孔部１６Ａ〜１６Ｃと１７Ａ〜１７Ｃとは、互いに平行関係になるように形成されている。
【００３１】
上記孔部１６Ａ，１６Ｂ，１６Ｃどうしの配置ピッチおよび孔部１７Ａ，１７Ｂ，１７Ｃどうしの配置ピッチは、上記第１〜第３クリック用凹凸部１２〜１４の配置ピッチに合わせられている。なお、上記孔部１６Ａと１７Ａは、第１クリック用凹凸部１２への適合用に設けられ、同様に上記孔部１６Ｂと１７Ｂは、第２クリック用凹凸部１３への適合用、また上記孔部１６Ｃと１７Ｃは、第３クリック用凹凸部１４への適合用として設けられている。
【００３２】
そして、図２および図３に示すものは、その孔部１６Ａ〜１６Ｃ，１７Ａ〜１７Ｃの内、中間位置に設けられている孔部１６Ｂと１７Ｂとに、固定部材としても機能するカバー３に設けられた板バネ１５の固定部としてなるカシメ突起３Ｂを上方から挿通してその下端部をカシメ込むことによって、板バネ１５をカバー３に固定しているものである。
【００３３】
この板バネ１５の固定状態であるときは、上述の図２や図４に示すように、弾性ダボ部１５Ａおよび摺動面部１５Ｂは、ともに第２クリック用凹凸部１３上に弾接している。
【００３４】
そして、回転体１１のフランジ部１１Ｂの下面には、従来同様に、所定のエンコーダ信号などの生成に適合する形状に加工された回転接点板７が固定され、その回転接点板７の下面には、ケース２にインサート成形等により固定された弾性金属薄板製の端子一体型刷子５の弾性アーム先端に設けられた接点部５Ａが弾接している。
【００３５】
なお、端子一体型刷子５の接点部５Ａが構成された一端側とは逆の他端側は、ケース２の側方から端子部５Ｂとして外方に導出されていることなどは、従来の場合と同じである。また、インサート成形後に端子一体型刷子５は、ケース２の窓部２Ｂを介して金型によって弾性アームの曲げ加工や接点部５Ａを形成加工すること、および上記窓部２Ｂを塞ぐためにケース２の下方に配した覆い板６とケース２とはカバー３のカシメ用脚部３Ｃで抱き込むようにしてカシメ固定されていることも従来の場合と同じである。
【００３６】
以上のように、本発明による回転操作型電子部品は構成されるものであり、その動作としては、回転体１１の軸部１１Ａを回転操作して回転体１１を回転させ、回転接点板７を、固定状態にある端子一体型刷子５の接点部５Ａに対して相対回転させて所定の出力信号を得ることができる。
【００３７】
その回転時に、上記第２クリック用凹凸部１３とそれに弾接している板バネ１５で構成されたクリック生成部としても、上記第２クリック用凹凸部１３の回転移動に伴って板バネ１５の弾性ダボ部１５Ａおよび摺動面部１５Ｂの弾接位置が変わっていき、弾性ダボ部１５Ａがクリック山を乗り越える際のバネ力の変化がクリック感触として得られる。なお、他方の摺動面部１５Ｂは、回転トルクの大きさの調整用として配されたものであり、複数のクリック山の頂点部上を摺動する。
【００３８】
以上の構成のものであれば、第２クリック用凹凸部１３の凹凸数やその凹凸形状に合わせたクリック数およびクリック感触が得られるものとなる。
【００３９】
そして、本発明による回転操作型電子部品は、上記構成のもの以外にも、同じ板バネ１５および回転体１１を用いて、他のクリック数およびクリック感触が得られるものとしても構成することができる。
【００４０】
すなわち、図５および図６に示すように、板バネ１５の弾性ダボ部１５Ａの配設位置に対して遠い側にあたる孔部１６Ａと１７Ａに、同じカバー３のカシメ突起３Ｂを挿通させてカシメ固定すれば、板バネ１５の弾性ダボ部１５Ａの位置を、外周側に構成された第１クリック用凹凸部１２に対応させて合わせ込んだもの、つまり弾性ダボ部１５Ａが第１クリック用凹凸部１２上に弾接触し、他方の摺動面部１５Ｂは、内周位置の第３クリック用凹凸部１４上に弾接したものとして構成できる。
【００４１】
このものは、回転操作時に、第１クリック用凹凸部１２の数やその凹凸形状等に応じたクリック数およびクリック感触が得られるものとなり、前述の弾性ダボ部１５Ａが第２クリック用凹凸部１３に対応している場合とは異なるクリック数およびクリック感触のものにできる。
【００４２】
なお、その回転操作時に、平坦面で構成された摺動面部１５Ｂは、第３クリック用凹凸部１４の複数のクリック山の頂点部上を摺動していき、所望の回転トルク発生に寄与することは前述のものの場合と同じである。また、その他の構成部分や回転操作に応じた信号生成状態などの動作状態なども前述のものと同じであるため、説明は省略する。
【００４３】
さらに、本発明によるものにおいては、図７および図８に示すように、板バネ１５の弾性ダボ部１５Ａに対して近い側にあたる孔部１６Ｃと１７Ｃに、同じカバー３のカシメ突起３Ｂを挿通させてカシメ固定すると、板バネ１５の弾性ダボ部１５Ａの位置を、内周側に配された第３クリック用凹凸部１４に対応させて合わせ込んだもの、つまり弾性ダボ部１５Ａが第３クリック用凹凸部１４上に弾接触し、他方の摺動面部１５Ｂは、外周位置の第１クリック用凹凸部１２上に弾接したものとしても構成でき、回転操作時に第３クリック用凹凸部１４に応じたクリック数およびクリック感触が得られるものとしても構成することができる。このときも板バネ１５を固定する固定部材となるカバー３のカシメ突起３Ｂは上述と同じものを用いて構成できる。なお、その他の部分は前述構成の場合と同じであるため、説明は省略する。
【００４４】
以上のように、当該構成の回転操作型電子部品は、一つの回転体１１および一つの板バネ１５を用いて、しかも固定部材ともなるカバー３の同じ固定部に対し板バネ１５の装着位置を変えて装着するのみで、三種類のクリック数および三種類のクリック感触のものを、個々に製作することができる。
【００４５】
なお、上記に説明したクリック用凹凸部１２〜１４等の数は適宜設定すればよく、上述のものに限定されることはない。
【００４６】
また、上述構成のカバー３のカシメ突起３Ｂに対応する板バネ１５の装着部１６，１７であればさらなる改善も可能であり、図９のカバーにおける板バネの装着状態を示す下面側からみた部分断面の斜視図に示すように、カバー３として、固定部となるカシメ突起３Ｂに並べて小突起３Ｄを配したものとし、その小突起３Ｄが、板バネ１５の固定用に用いない孔部（同図では、孔部１６Ａと１６Ｃ、１７Ａと１７Ｃ）の各々に挿入される構成とすると、簡素な構造で、板バネ１５が全ての孔部１６Ａ〜１６Ｃ，１７Ａ〜１７Ｃで位置決め補助がなされ、板バネ１５の装着位置精度の向上が図れて好ましい。
【００４７】
なお、板バネ１５の装着部とカバー３の固定部の形状は、上記に説明したものに限定されず、その他の形状のものであってもよく、上記のように同心で設けられた複数のクリック用凹凸部の各々に、一つ板バネを弾接触させるように組み込めて共用使用できる構成であればよい。また、板バネ１５を固定する部材としてもカバー３のみに限られず、他の構成部材を板バネ１５の固定部材として構成してもよい。
【産業上の利用可能性】
【００４８】
本発明による回転操作型電子部品は、クリック数等に合わせて個々の回転体を作製する必要がなく、クリック用の板バネと回転体が各々一種類で、クリック数等の異なる数種類の回転操作型電子部品への対応が可能となるという効果を有し、電子機器の入力操作部の構成時等に有用である。
【図面の簡単な説明】
【００４９】
【図１】本発明の一実施の形態による回転操作型電子部品の分解斜視図
【図２】同断面図
【図３】同図２と直交する方向での断面図
【図４】同板バネが第２クリック用凹凸部に弾接触するように組み合わされた状態を示す上面側からみた図
【図５】同板バネが第３クリック用凹凸部に弾接触するように組み合わされた状態を示す上面側からみた図
【図６】同断面図
【図７】同板バネが第１クリック用凹凸部に弾接触するように組み合わされた状態を示す上面側からみた図
【図８】同断面図
【図９】同さらなる変形事例のもののカバーにおける板バネの装着状態を示す下面側からみた部分断面の斜視図
【図１０】従来の回転操作型電子部品の断面図
【図１１】同分解斜視図
【符号の説明】
【００５０】
２  ケース
２Ａ  中心孔
２Ｂ  窓部
３  カバー（固定部材）
３Ａ  円形貫通孔
３Ｂ  板バネ固定用のカシメ突起
３Ｃ  カシメ用脚部
３Ｄ  小突起
５  端子一体型刷子
５Ａ  接点部
５Ｂ  端子部
６  覆い板
７  回転接点板
１１  回転体
１１Ａ  軸部
１１Ｂ  フランジ部
１１Ｃ  位置決め用円柱部
１２  第１クリック用凹凸部
１３  第２クリック用凹凸部
１４  第３クリック用凹凸部
１５  板バネ
１５Ａ  弾性脚部に設けた弾性ダボ部
１５Ｂ  摺動面部
１６，１７  装着部
１６Ａ〜１６Ｃ，１７Ａ〜１７Ｃ  孔部
【図１】
2006079966.tif 000003
【図２】
2006079966.tif 000004
【図３】
2006079966.tif 000005
【図４】
2006079966.tif 000006
【図５】
2006079966.tif 000007
【図６】
2006079966.tif 000008
【図７】
2006079966.tif 000009
【図８】
2006079966.tif 000010
【図９】
2006079966.tif 000011
【図１０】
2006079966.tif 000012
【図１１】
2006079966.tif 000013